(57)【要約】      （修正有）【課題】３以上の軸流ファンが単純に直列に接続された直列式軸流ファンでは、気流の旋回成分が大きくなり、効率よく静圧を向上することができない。【解決手段】３つの軸流ファン２，３，４を接続した直列式軸流ファン１では、３つの軸流ファン２，３，４のうち２つの軸流ファンの回転方向を逆にするとともに静翼２５を設ける、または、２つの軸流ファンの排気側にそれぞれ静翼を設ける。４つの軸流ファンを接続した直列式軸流ファンにおいては、互いに回転方向を逆にする２つの軸流ファンを組み合わせ、さらにそれを２つ組み合わせる。これらのような構成により、直列式軸流ファン１により送出される気流の旋回成分を減少し、軸方向成分を増加させて、送出される気流の静圧を向上する。【選択図】図１
2010185443.tif 000002
【特許請求の範囲】
【請求項１】
直列式軸流ファンであって、
最も排気側に位置する第１インペラと、
前記第１インペラがロータ部に取り付けられて中心軸を中心に前記第１インペラを回転する第１モータ部と、
排気側から２番目に位置する第２インペラと、
前記第２インペラがロータ部に取り付けられて前記中心軸を中心に前記第２インペラを回転する第２モータ部と、
排気側から３番目に位置する第３インペラと、
前記第３インペラがロータ部に取り付けられて前記中心軸を中心に前記第３インペラを前記第２インペラとは逆方向に回転する第３モータ部と、
前記第１インペラの排気側に位置して前記中心軸を中心とする略径方向に伸びる複数の静翼と、
前記第１インペラ、前記第２インペラおよび前記第３インペラの外周を囲む筒状の風洞部と、
を備えることを特徴とする直列式軸流ファン。
【請求項２】
請求項１に記載の直列式軸流ファンであって、
前記風洞部が、
前記第１インペラの外周を囲む第１ハウジングと、
前記第２インペラの外周を囲む第２ハウジングと、
前記第３インペラの外周を囲む第３ハウジングと、
を備え、
前記複数の静翼、前記第１ハウジングおよび前記第１モータ部のベース部が、１つの部材として形成されていることを特徴とする直列式軸流ファン。
【請求項３】
請求項１または２に記載の直列式軸流ファンであって、
前記第２モータ部を前記風洞部に接続する複数の支持リブと、
前記第３モータ部を前記風洞部に接続する他の複数の支持リブと、
をさらに備え、
前記複数の支持リブおよび前記他の複数の支持リブが前記第２インペラと前記第３インペラとの間に位置するとともに、前記中心軸に平行な方向において重なることを特徴とする直列式軸流ファン。
【請求項４】
直列式軸流ファンであって、
最も排気側に位置する第１インペラと、
前記第１インペラがロータ部に取り付けられて中心軸を中心に前記第１インペラを回転する第１モータ部と、
排気側から２番目に位置する第２インペラと、
前記第２インペラがロータ部に取り付けられて前記中心軸を中心に前記第２インペラを前記第１インペラとは逆方向に回転する第２モータ部と、
排気側から３番目に位置する第３インペラと、
前記第３インペラがロータ部に取り付けられて前記中心軸を中心に前記第３インペラを回転する第３モータ部と、
前記第２インペラと前記第３インペラとの間に位置して前記中心軸を中心とする略径方向に伸びる複数の静翼と、
前記第１インペラ、前記第２インペラおよび前記第３インペラの外周を囲む筒状の風洞部と、
を備えることを特徴とする直列式軸流ファン。
【請求項５】
請求項４に記載の直列式軸流ファンであって、
前記風洞部が、
前記第１インペラの外周を囲む第１ハウジングと、
前記第２インペラの外周を囲む第２ハウジングと、
前記第３インペラの外周を囲む第３ハウジングと、
を備え、
前記複数の静翼、前記第３ハウジングおよび前記第３モータ部のベース部が、１つの部材として形成されていることを特徴とする直列式軸流ファン。
【請求項６】
請求項４または５に記載の直列式軸流ファンであって、
前記第１モータ部を前記風洞部に接続する複数の支持リブと、
前記第２モータ部を前記風洞部に接続する他の複数の支持リブと、
をさらに備え、
前記複数の支持リブおよび前記他の複数の支持リブが前記第１インペラと前記第２インペラとの間に位置するとともに、前記中心軸に平行な方向において重なることを特徴とする直列式軸流ファン。
【請求項７】
直列式軸流ファンであって、
最も排気側に位置する第１インペラと、
前記第１インペラがロータ部に取り付けられて中心軸を中心に前記第１インペラを回転する第１モータ部と、
排気側から２番目に位置する第２インペラと、
前記第２インペラがロータ部に取り付けられて前記中心軸を中心に前記第２インペラを回転する第２モータ部と、
排気側から３番目に位置する第３インペラと、
前記第３インペラがロータ部に取り付けられて前記中心軸を中心に前記第３インペラを回転する第３モータ部と、
前記第１インペラの排気側に位置して前記中心軸を中心とする略径方向に伸びる複数の静翼と、
前記第１インペラと前記第２インペラとの間に位置して、略前記径方向に伸びる他の複数の静翼と、
前記第１インペラ、前記第２インペラおよび前記第３インペラの外周を囲む筒状の風洞部と、
を備えることを特徴とする直列式軸流ファン。
【請求項８】
請求項７に記載の直列式軸流ファンであって、
前記風洞部が、
前記第１インペラの外周を囲む第１ハウジングと、
前記第２インペラの外周を囲む第２ハウジングと、
前記第３インペラの外周を囲む第３ハウジングと、
を備え、
前記複数の静翼、前記第１ハウジングおよび前記第１モータ部のベース部が、１つの部材として形成され、前記他の複数の静翼、前記第２ハウジングおよび前記第２モータ部のベース部が、１つの部材として形成されていることを特徴とする直列式軸流ファン。
【請求項９】
直列式軸流ファンであって、
最も排気側に位置する第１インペラと、
前記第１インペラがロータ部に取り付けられて中心軸を中心に前記第１インペラを回転する第１モータ部と、
排気側から２番目に位置する第２インペラと、
前記第２インペラがロータ部に取り付けられて前記中心軸を中心に前記第２インペラを前記第１インペラとは逆方向に回転する第２モータ部と、
排気側から３番目に位置する第３インペラと、
前記第３インペラがロータ部に取り付けられて前記中心軸を中心に前記第３インペラを回転する第３モータ部と、
排気側から４番目に位置する第４インペラと、
前記第４インペラがロータ部に取り付けられて前記中心軸を中心に前記第４インペラを前記第３インペラとは逆方向に回転する第４モータ部と、
前記第１インペラ、前記第２インペラ、前記第３インペラおよび前記第４インペラの外周を囲む筒状の風洞部と、
を備えることを特徴とする直列式軸流ファン。
【請求項１０】
請求項９に記載の直列式軸流ファンであって、
前記第１モータ部を前記風洞部に接続する複数の第１支持リブと、
前記第２モータ部を前記風洞部に接続する複数の第２支持リブと、
前記第３モータ部を前記風洞部に接続する複数の第３支持リブと、
前記第４モータ部を前記風洞部に接続する複数の第４支持リブと、
をさらに備え、
前記複数の第１支持リブおよび前記複数の第２支持リブが前記第１インペラと前記第２インペラとの間に位置するとともに、前記中心軸に平行な方向において重なり、前記複数の第３支持リブおよび前記複数の第４支持リブが前記第３インペラと前記第４インペラとの間に位置するとともに、前記中心軸に平行な方向において重なることを特徴とする直列式軸流ファン。
【発明の詳細な説明】
【技術分野】
【０００１】
本発明は、３以上の軸流ファンを直列に接続した直列式軸流ファンに関する。
【背景技術】
【０００２】
従来より、様々な電子機器の筐体内部に電子部品を冷却するための冷却ファンが設けられており、電子部品の高性能化に伴う発熱量の増加や、筐体の小型化等に起因する配置密度の上昇に伴って、冷却ファンの静圧−風量特性の向上が要求されている。十分な静圧および風量を確保する冷却ファンとして、近年では複数のファンを直列に接続した直列式軸流ファンが提案されている。
米国特許出願公開第２００８／０１２４２３２号明細書では、３つの軸流ファンが直列に接続された組立体が開示されている。
特開２００５−１６３２３号公報においても、３つのファンユニットが結合板上に直列に配置された構造の直列連結モジュールが開示されている。
【特許文献１】米国特許出願公開第２００８／０１２４２３２号明細書
【特許文献２】特開２００５−１６３２３号公報
【発明の概要】
【発明が解決しようとする課題】
【０００３】
ところで、３以上の軸流ファンが直列に接続された直列式軸流ファンでは、単体の軸流ファンや２つの軸流ファンが接続された直列式軸流ファンに比べて、送出される気流の静圧が増加する。しかし、単純な構造の同一の軸流ファンを直列に接続した構造の直列式軸流ファンでは、気流の旋回成分が大きくなり、効率よく静圧を向上することができない。
【０００４】
本発明は、直列式軸流ファンにより送出されるエアの軸方向成分を増加して、静圧を向上することを目的としている。
【課題を解決するための手段】
【０００５】
本発明の第１の側面では、直列式軸流ファンは、最も排気側に位置する第１インペラと、前記第１インペラがロータ部に取り付けられて中心軸を中心に前記第１インペラを回転する第１モータ部と、排気側から２番目に位置する第２インペラと、前記第２インペラがロータ部に取り付けられて前記中心軸を中心に前記第２インペラを回転する第２モータ部と、排気側から３番目に位置する第３インペラと、前記第３インペラがロータ部に取り付けられて前記中心軸を中心に前記第３インペラを前記第２インペラとは逆方向に回転する第３モータ部と、前記第１インペラの排気側に位置して前記中心軸を中心とする略径方向に伸びる複数の静翼と、前記第１インペラ、前記第２インペラおよび前記第３インペラの外周を囲む筒状の風洞部とを備える。
【０００６】
本発明の第２の側面では、直列式軸流ファンは、最も排気側に位置する第１インペラと、前記第１インペラがロータ部に取り付けられて中心軸を中心に前記第１インペラを回転する第１モータ部と、排気側から２番目に位置する第２インペラと、前記第２インペラがロータ部に取り付けられて前記中心軸を中心に前記第２インペラを前記第１インペラとは逆方向に回転する第２モータ部と、排気側から３番目に位置する第３インペラと、前記第３インペラがロータ部に取り付けられて前記中心軸を中心に前記第３インペラを回転する第３モータ部と、前記第２インペラと前記第３インペラとの間に位置して前記中心軸を中心とする略径方向に伸びる複数の静翼と、前記第１インペラ、前記第２インペラおよび前記第３インペラの外周を囲む筒状の風洞部とを備える。
【０００７】
本発明の第３の側面では、直列式軸流ファンは、最も排気側に位置する第１インペラと、前記第１インペラがロータ部に取り付けられて中心軸を中心に前記第１インペラを回転する第１モータ部と、排気側から２番目に位置する第２インペラと、前記第２インペラがロータ部に取り付けられて前記中心軸を中心に前記第２インペラを回転する第２モータ部と、排気側から３番目に位置する第３インペラと、前記第３インペラがロータ部に取り付けられて前記中心軸を中心に前記第３インペラを回転する第３モータ部と、前記第１インペラの排気側に位置して前記中心軸を中心とする略径方向に伸びる複数の静翼と、前記第１インペラと前記第２インペラとの間に位置して、略前記径方向に伸びる他の複数の静翼と、前記第１インペラ、前記第２インペラおよび前記第３インペラの外周を囲む筒状の風洞部とを備える。
【０００８】
本発明の第４の側面では、直列式軸流ファンは、最も排気側に位置する第１インペラと、前記第１インペラがロータ部に取り付けられて中心軸を中心に前記第１インペラを回転する第１モータ部と、排気側から２番目に位置する第２インペラと、前記第２インペラがロータ部に取り付けられて前記中心軸を中心に前記第２インペラを前記第１インペラとは逆方向に回転する第２モータ部と、排気側から３番目に位置する第３インペラと、前記第３インペラがロータ部に取り付けられて前記中心軸を中心に前記第３インペラを回転する第３モータ部と、排気側から４番目に位置する第４インペラと、前記第４インペラがロータ部に取り付けられて前記中心軸を中心に前記第４インペラを前記第３インペラとは逆方向に回転する第４モータ部と、前記第１インペラ、前記第２インペラ、前記第３インペラおよび前記第４インペラの外周を囲む筒状の風洞部とを備える。
【発明の効果】
【０００９】
本発明によれば、３以上の軸流ファンを接続した直列式軸流ファンから送出されるエアの静圧を向上することができる。
本発明の第１および第２の側面は、３つの軸流ファンを接続した直列式軸流ファンで、３つの軸流ファンのうち２つの軸流ファンの回転方向を逆にするとともに静翼を設けている。
本発明の第３の側面は、３つの軸流ファンを接続した直列式軸流ファンで、２つの軸流ファンの排気側にそれぞれ静翼を設けている。
本発明の第４の側面は、４つの軸流ファンを接続した直列式軸流ファンで、互いに回転方向を逆にする２つの軸流ファンを組み合わせ、さらにそれを２つ組み合わせている。
これらのような構成により、直列式軸流ファンにおける旋回成分を減少させて、送出されるエアの静圧を向上している。
【図面の簡単な説明】
【００１０】
【図１】図１は、第１の実施形態に係る直列式軸流ファンを示す断面図である。
【図２】図２は、第１軸流ファンの底面図である。
【図３】図３は、第２軸流ファンの底面図である。
【図４】図４は、第３軸流ファンの底面図である。
【図５】図５は、第２の実施形態に係る直列式軸流ファンの断面図である。
【図６】図６は、第３の実施形態に係る直列式軸流ファンの断面図である。
【図７】図７は、第４の実施形態に係る直列式軸流ファンの断面図である。
【図８】図８は、他の例に係る直列式軸流ファンの断面図である。
【図９】図９は、静翼部の底面図である。
【図１０】図１０は、さらに他の例に係る直列式軸流ファンの断面図である。
【発明を実施するための形態】
【００１１】
図１は、本発明の第１の実施形態に係る直列式軸流ファン１を示す縦断面図であり、直列式軸流ファン１は、サーバ等の電子機器を空冷するための冷却ファンとして用いられる。直列式軸流ファン１は、第１軸流ファン２、第２軸流ファン３、および、第３軸流ファン４を備えてなる。第１軸流ファン２は、図１における下側に位置している。第２軸流ファン３は、中心軸Ｊ１に沿って、第１軸流ファン２の上側に接続され、第３軸流ファン４は、中心軸Ｊ１に沿って、第２軸流ファン３の上側に接続されている。中心軸Ｊ１は、第１軸流ファン２、第２軸流ファン３および第３軸流ファン４の中心軸に一致している。中心軸の一致については、以下の実施形態でも同様である。
【００１２】
直列式軸流ファン１では、図１中の上側からエアが取り込まれ、下側へと送出されるように、中心軸Ｊ１に沿う方向のエアの流れが発生する。以下の説明では、中心軸Ｊ１方向において、エアが取り込まれる側である図１中の上側を「上側」または「吸気側」と呼び、エアが送出される側である図１中の下側を「下側」または「排気側」と呼ぶ。「上側」および「下側」という表現は、必ずしも重力方向に対する上側および下側と一致する必要はない。
【００１３】
第１軸流ファン２は、第１インペラ２１、第１モータ部２２、第１ハウジング２３、複数の静翼２５を備える。第１モータ部２２は、中心軸Ｊ１を中心に第１インペラ２１を回転させることでエアの流れを発生する。第１ハウジング２３は、第１インペラ２１の外周を囲む筒状のハウジングである。複数の静翼２５は、第１インペラ２１の排気側に位置して、中心軸Ｊ１を中心とする略径方向に伸びる翼形状の支持リブである。静翼２５、第１ハウジング２３および第１モータ部２２のベース部２４は、樹脂を射出成形することにより、１つの部材として形成されている。静翼２５を介して、第１ハウジング２３とベース部２４とが接続されている。
なお、図１では、図示の都合上、第１インペラ２１の翼２１１および静翼２５の概略形状を、中心軸Ｊ１の左右に示している。また、第１モータ部２２は誇張して大きく示しており、各構成要素の断面に対するハッチングの図示を省略している。第２軸流ファン３および第３軸流ファン４に関しても、同様の手法にて図示している。以下の軸流ファンにおける、他の断面図についても同様である。
【００１４】
第１インペラ２１は、第１モータ部２２の外側を覆う有蓋略円筒状のカップ２１２、および、カップ２１２の外側面から中心軸Ｊ１を中心とする径方向外方に向けて伸びており、中心軸Ｊ１を中心とする周方向に等ピッチにて配置された複数の翼２１１を有する。第１モータ部２２は、回転体である第１ロータ部２２１および固定体である第１ステータ部２２２を備えている。中心軸Ｊ１に沿って、第１ロータ部２２１が第１ステータ部２２２に対して上側に位置している。
【００１５】
第１ロータ部２２１は、中心軸Ｊ１を中心とする有蓋略円筒状の金属製のヨーク２２１１、ヨーク２２１１の内側に固定される略円筒状の界磁用磁石２２１２、および、ヨーク２２１１の上部中央から下方に突出するシャフト２２１３を備えている。カップ２１２がヨーク２２１１を覆うようにして、第１インペラ２１は第１ロータ部２２１に取り付けられている。
【００１６】
第１ステータ部２２２は、略円板状のベース部２４、ベース部２４の中央から上側に突出する略円筒状の軸受保持部２２２１、軸受保持部２２２１の外周に取り付けられるステータ２２２２、および、ステータ２２２２の下側にてステータ２２２２に電気的に接続される回路基板２２２３を備えている。ステータ２２２２は、界磁用磁石２２１２と中心軸Ｊ１を中心とする径方向（以下、単に「径方向」という）に対向している。ステータ２２２２と界磁用磁石２２１２との間にて、中心軸Ｊ１を中心とするトルクが発生する。軸受保持部２２２１の内側には、軸受機構である玉軸受２２２４，２２２５が中心軸Ｊ１方向の上部および下部に設けられている。軸受保持部２２２１に挿入されたシャフト２２１３が、玉軸受２２２４，２２２５により回転可能に支持されている。
【００１７】
第２軸流ファン３は、一部の形状を除いて第１軸流ファン２の上下を反転したものと同じ構造を有している。第２軸流ファン３は、第２インペラ３１、第２モータ部３２、第２ハウジング３３、および、棒状の複数の支持リブ３５を備える。第２インペラ３１は、有底略円筒状のカップ３１２の外側面から径方向外方に向けて伸びる、複数の翼３１１を有している。第２モータ部３２は、第２インペラ３１を回転させることにより、第１インペラ２１と同方向のエアの流れを発生させる。第２ハウジング３３は、第２インペラ３１の外周を囲む筒状をしており、中心軸Ｊ１に沿って第１ハウジング２３に接続される。棒状の複数の支持リブ３５は、第２モータ部３２のベース部３４と、第２ハウジング３３とを接続している。第２ハウジング３３、ベース部３４および第２支持リブ３５は、樹脂の射出成形により１つの部材として形成される。
以下の説明では、第２軸流ファン３の支持リブ３５を「第２支持リブ３５」と呼ぶ。
【００１８】
第２モータ部３２は、第１モータ部２２とほぼ同様の構造を有している。第２モータ部３２は、回転体である第２ロータ部３２１および固定体である第２ステータ部３２２を備えている。第２ロータ部３２１が第２ステータ部３２２の下側に位置している。第２ロータ部３２１は、有底略円筒状のヨーク３２１１、ヨーク３２１１の内側に固定される界磁用磁石３２１２、および、ヨーク３２１１の中央から上方に突出するシャフト３２１３を備えている。カップ３１２がヨーク３２１１を覆うようにして、第２インペラ３１が第２ロータ部３２１に取り付けられる。
【００１９】
第２ステータ部３２２は、略円板状のベース部３４、ベース部３４の中央から下側に突出する軸受保持部３２２１、軸受保持部３２２１の外周に取り付けられて界磁用磁石３２１２との間にてトルクを発生するステータ３２２２、および、ステータ３２２２の上側に配置される回路基板３２２３を備え、軸受保持部３２２１に挿入されたシャフト３２１３が玉軸受３２２４，３２２５により回転可能に支持される。
【００２０】
第３軸流ファン４は、第２軸流ファン３の上下を反転したものとほぼ同じ構造であり、第３インペラ４１、中心軸Ｊ１を中心に第３インペラ４１を第２インペラ３１とは逆方向に回転することにより第１インペラ２１と同方向のエアの流れを発生する第３モータ部４２、第３インペラ４１の外周を囲む筒状の第３ハウジング４３、および、第３モータ部４２のベース部４４と第３ハウジング４３とを接続する棒状の複数の支持リブ４５を備える。以下の説明では、第３軸流ファン４の支持リブ４５を「第３支持リブ４５」と呼ぶ。
【００２１】
第３インペラ４１は、カップ４１２の外側面から径方向外方に向けて伸びる複数の翼４１１を有し、第３ハウジング４３は中心軸Ｊ１に沿って第２ハウジング３３に接続される。また、第３ハウジング４３、ベース部４４および第３支持リブ４５は、樹脂の射出成形により１つの部材として形成される。
【００２２】
第３モータ部４２は、第３ロータ部４２１および第３ロータ部４２１の下側に位置する第３ステータ部４２２を備える。第３ロータ部４２１は、有蓋円筒状のヨーク４２１１、ヨーク４２１１の内側に固定される界磁用磁石４２１２およびヨーク４２１１の中央から下方に突出するシャフト４２１３を備え、カップ４２１がヨーク４２１１を覆うようにして第３インペラ４１が第３ロータ部４２１に取り付けられる。
【００２３】
第３ステータ部４２２は、略円板状のベース部４４、ベース部４４の中央にて上側に突出する軸受保持部４２２１、軸受保持部４２２１の外周に取り付けられるステータ４２２２、および、ステータ４２２２の下側に配置される回路基板４２２３を備え、ベース部４４は第２軸流ファン３のベース部３４に当接する。第３モータ部４２では、軸受保持部４２２１に挿入されたシャフト４２１３が玉軸受４２２４，４２２５により回転可能に支持される。
【００２４】
図２は第１軸流ファン２の底面図である。第１ハウジング２３の下端部２３１は略正方形とされ、上端部（吸気側の端部）も同形状とされる。静翼２５は中心軸Ｊ１に平行な方向および中心軸Ｊ１に垂直な面に対して傾斜し、４つの静翼２５の径方向内側の端部がベース部２４の外周に等間隔に位置するとともに、径方向外側の端部が第１ハウジング２３の互いに隣接する２つの角部２３１１の間の中央部２３１２に位置する。
【００２５】
また、第１軸流ファン２では、ベース部２４に切欠２４１が設けられて回路基板２２２３の下面の一部が露出し、第１ハウジング２３の下端部２３１の図２における右上の角部２３１１近傍に内側面から外側面に至る溝２３１１ａが設けられる。図２に示すように、回路基板２２２３に接続された２つのリード線２６は、切欠２４１を介して図２における右上の角部２３１１へと径方向に案内され、溝２３１１ａを介して第１ハウジング２３の外側へと引き出される。リード線２６は図１に示す軸流ファン２，３，４のハウジング２３，３３，４３の外側面に沿って直列式軸流ファン１の吸気側へと導かれ、外部電源（図示省略）に接続される。
【００２６】
図３は第２軸流ファン３の底面図であり、図２に示す第１ハウジング２３と同様に、第２ハウジング３３の下端部３３１および上端部（吸気側の端部）は略正方形とされる。４つの第２支持リブ３５の径方向内側の端部は、ベース部３４の外周に等間隔に位置し、径方向外側の端部は第２ハウジング３３の互いに隣り合う２つの角部３３１１の間の中央部３３１２に位置する。また、第２支持リブ３５は図２に示す第１軸流ファン２の静翼２５と異なり、中心軸Ｊ１を中心とする周方向における幅が小さくされるとともに、図１に示すように、中心軸Ｊ１に平行な方向における幅も小さくされる。
【００２７】
図３に示す第２ハウジング３３の上端部（図３における紙面奥側）では、図２に示す第１ハウジング２３と同様に、図３における右上の角部近傍に内側面から外側面に至る溝が設けられ、回路基板３２２３（図１参照）に接続された２つのリード線３６が溝を介して第２ハウジング３３の外側へと引き出され、第２ハウジング３３および第３ハウジング４３（図１参照）の外側面に沿って直列式軸流ファン１の吸気側へと導かれる。なお、図３では、リード線３６と共に第２ハウジング３３の外側面に沿って第２ハウジング３３の吸気側へと導かれる第１軸流ファン２のリード線２６（図２参照）の図示を省略している。第２軸流ファン３では、第２ハウジング３３と第２モータ部３２（図１参照）との間におけるエアの流路には第２支持リブ３５およびリード線３６のみが存在する。
【００２８】
図４は第３軸流ファン４の底面図である。第３ハウジング４３は図３に示す第２ハウジング３３とほぼ同形状であり、第３ハウジング４３の内側面とベース部４４の外周との間には、４つの第３支持リブ４５が等間隔に配置される。第３支持リブ４５は図２に示す第１軸流ファン２の静翼２５と異なり、中心軸Ｊ１を中心とする周方向における幅が小さくされるとともに、図１に示すように、中心軸Ｊ１に平行な方向における幅も小さくされる。第３支持リブ４５は第２支持リブ３５と共に第３インペラ４１と第２インペラ３１との間に位置し、第２支持リブ３５および第３支持リブ４５は互いに中心軸Ｊ１に平行な方向において重なる。すなわち、第２支持リブ３５の第３インペラ４１に対向するエッジ（または面）と第３支持リブ４５の第２インペラ３１に対向するエッジ（または面）とが中心軸Ｊ１に平行な方向においてほぼ全長に亘って重なる。
【００２９】
図４に示すように、第３軸流ファン４では、図２に示す第１軸流ファン３と同様に、第３ハウジング４３の下端部４３１の図４における右上の角部４３１１近傍に内側面から外側面に至る溝４３１１ａが設けられる。回路基板４２２３に接続された２つのリード線４６は溝４３１１ａを介して第３ハウジング４３の外側へと引き出され、第３軸流ファン４の吸気側へと導かれる。なお、図４では、リード線４６と共に第３ハウジング４３の外側面に沿って第３軸流ファン４の吸気側へと導かれる他の軸流ファン２，３のリード線２６，３６（図２および図３参照）の図示を省略している。第３軸流ファン４においても、第３ハウジング４３と第３モータ部４２との間のエアの流路には第３支持リブ４５およびリード線４６のみが存在する。
【００３０】
直列式軸流ファン１の駆動時には、図４に示す第３軸流ファン４の第３インペラ４１が第３モータ部４２により矢印９３にて示す時計回りに回転され、図３に示す第２軸流ファン３の第２インペラ３１が第２モータ部３２（図１参照）により矢印９２にて示す反時計回り、すなわち、第３インペラ４１とは逆方向に回転される。このように、第２軸流ファン３および第３軸流ファン４により、いわゆる二重反転ファンが構成される。さらに、図２に示す第１軸流ファン２の第１インペラ２１が第１モータ部２２（図１参照）により矢印９１にて示す時計回りに回転される。そして、図１に示すように、第１インペラ２１、第２インペラ３１および第３インペラ４１により発生したエアは、第１ハウジング２３、第２ハウジング３３および第３ハウジング４３により形成される筒状の風洞部１１を吸気側から排気側に向かって流れ、直列式軸流ファン１から送出される。
【００３１】
以上、第１の実施形態に係る直列式軸流ファン１について説明したが、直列式軸流ファン１では、排気側から２番目に位置する第２インペラ３１と３番目に位置する第３インペラ４１との回転方向が逆とされることにより、第１インペラ２１に流入するエアの流れが中心軸Ｊ１におよそ平行な方向に整えられる。これにより、第３軸流ファン４からのエアの旋回成分の一部が第２軸流ファン３により軸方向成分へと変換されて第１インペラ２１に送り込まれるエアの軸方向成分が増加され、最も排気側に位置する第１インペラ２１による送風効率が高められる。さらに、第１インペラ２１の排気側に位置する静翼２５により第１インペラ２１から送出されるエアの旋回成分が軸方向成分に変換されて軸方向成分が増加されるため、直列式軸流ファン１から送出されるエアの静圧が向上され、エアの流量も増加する。
【００３２】
直列式軸流ファン１では、第２軸流ファン３および第３軸流ファン４により二重反転ファンが形成されるのであれば、第１ないし第３インペラ２１，３１，４１はそれぞれ、図２ないし図４に示す方向とは逆方向に回転されてもよい。この場合であっても、第１インペラ２１に流入するエアの軸方向成分が増加されるとともに、直列式軸流ファン１から送出されるエアの静圧が向上される。
【００３３】
既述のように、第２軸流ファン３の第２支持リブ３５は静翼２５と異なり、中心軸Ｊ１に平行な方向および中心軸Ｊ１を中心とする周方向における幅が小さくされるため、エアの軸方向成分を増加させることはない。すなわち、第２支持リブ３５は実質的に静翼として機能しない。同様に、第３軸流ファン４の第３支持リブ４５も実質的に静翼として機能しない。すなわち、直列式軸流ファン１では、第１インペラ２１と第２インペラ３１との間に静翼として機能する部材が設けられない。直列式軸流ファン１では、このような構造であっても第２インペラ３１と第３インペラ４１とを反対方向に回転することにより、第１インペラ２１に旋回成分の少ないエアを導入することが実現されている。
【００３４】
また、第２支持リブ３５と第３支持リブ４５とが中心軸Ｊ１に平行な方向に重なる、換言すれば、第２支持リブ３５および第３支持リブ４５が互いに沿うようにほぼ全長に亘って重なることにより（以下の他の実施形態おける互いに重なる支持リブについても同様）、これらの支持リブがエアの流れを妨げることが抑制される。
【００３５】
第１軸流ファン２の静翼２５は、第１ハウジング２３および第１モータ部２２のベース部２４と１つの部材として形成されるため、第１軸流ファン２の構造が簡素化される。同様に、第２軸流ファン３の第２支持リブ３５は、第２ハウジング３３および第２モータ部３２のベース部３４と１つの部材として形成され、第３軸流ファン４の第３支持リブ４５は、第３ハウジング４３および第３モータ部４２のベース部４４と１つの部材として形成されるため、第２軸流ファン３および第３軸流ファン４の構造も簡素化される。以下の他の実施形態における、静翼および支持リブに関しても同様である。なお、第１ないし第３軸流ファン２，３，４では、リード線２６，３６，４６の数は２以外とされてもよい。他の実施形態においても同様である。
【００３６】
直列式軸流ファン１の構造は軸流ファンの数が奇数個である直列式軸流ファンに応用することができる。この場合、最も排気側の軸流ファンを除く他の複数の軸流ファンでは、互いに隣接するインペラが逆方向に回転することにより、奇数番目の軸流ファンにより発生するエアの軸方向成分が当該軸流ファンの下側に位置する偶数番目の軸流ファンにより増加され、最も排気側の軸流ファンでは、排気側に静翼が設けられることによりエアの軸方向成分が増加される。なお、最も排気側の軸流ファンのインペラは、排気側から２番目の軸流ファンのインペラに対して同方向に回転してもよく、逆方向に回転してもよい。
【００３７】
図５は、第２の実施形態に係る直列式軸流ファン１ａを示す縦断面図である。直列式軸流ファン１ａでは、図１の第２軸流ファン３に代えて第１軸流ファン２とほぼ同形状の第２軸流ファン３ａが設けられ、第１軸流ファン２、第２軸流ファン３ａおよび第３軸流ファン４が中心軸Ｊ１に沿って配置される。その他の構造は直列式軸流ファン１と同様であり、以下、同様の構成には同符号を付して説明する。
【００３８】
第１軸流ファン２は複数の翼２１１を有する第１インペラ２１、中心軸Ｊ１を中心に第１インペラ２１を回転する第１モータ部２２、第１インペラ２１の外周を囲む第１ハウジング２３、第１インペラ２１の排気側に位置して略径方向に伸びる複数の静翼２５を備え、静翼２５、第１ハウジング２３および第１モータ部２２のベース部２４は樹脂の射出成形により１つの部材として形成される。第１モータ部２２では、第１インペラ２１が取り付けられる第１ロータ部２２１が第１ステータ部２２２に対して上側に位置する。
【００３９】
第２軸流ファン３ａは、複数の翼３１１を有する第２インペラ３１、第２インペラ３１を第１インペラ２１と同じ方向に回転する第２モータ部３２、第２インペラ３１の外周を囲む第２ハウジング３３、および、第２インペラ３１と第１インペラ２１との間に位置して略径方向に伸びる４つの静翼３５ａを備える。静翼３５ａを介して第２ハウジング３３とベース部３４とが接続され、静翼３５ａ、第２ハウジング３３および第２モータ部３２のベース部３４は樹脂の射出成形により１つの部材として形成される。なお、第２インペラ３１は第１インペラ２１とは逆方向に回転されてもよい。
【００４０】
第３軸流ファン４は、第１軸流ファン２の静翼２５に代えて棒状の支持リブが設けられる点を除いて第１軸流ファン２とほぼ同様であり、複数の翼４１１を有する第３インペラ４１、第３インペラ４１を第２インペラ３１とは逆方向に回転する第３モータ部４２、第３インペラ４１の外周を囲む第３ハウジング４３、および、第３モータ部４２のベース部４４と第３ハウジング４３とを接続する棒状の複数の第３支持リブ４５を備える。
【００４１】
直列式軸流ファン１ａの駆動時には、第１インペラ２１、第２インペラ３１および第３インペラ４１の回転により発生したエアは、第１ハウジング２３、第２ハウジング３３および第３ハウジング４３により形成される風洞部１１内を中心軸Ｊ１に沿って流れ、直列式軸流ファン１ａから送出される。
【００４２】
直列式軸流ファン１ａでは、第２インペラ３１から送出されるエアは、第２インペラ３１の排気側に位置する静翼３５ａにより旋回成分の一部が軸方向成分に変換されて軸方向成分が増加されつつ第１インペラ２１に流入し、第１インペラから送出されるエアは、第１インペラ２１の排気側に位置する静翼２５により旋回成分の一部が軸方向成分に変換されて軸方向成分が増加されつつ直列式軸流ファン１ａから送出される。
【００４３】
このように、第１インペラ２１と第２インペラ３１との回転方向が同じであっても、静翼２５，３５ａにより風洞部１１を流れるエアの軸方向成分が増加されるため、直列式軸流ファン１ａの静圧が向上される。また、第１ハウジング２３、ベース部２４および静翼２５が１つの部材として形成されるとともに、第２ハウジング３３、ベース部３４および静翼３５ａが１つの部材として形成されるため、第１軸流ファン２および第２軸流ファン３ａの構造が簡素化される。直列式軸流ファン１ａでは、第１インペラ２１と第２インペラ３１との回転方向が異なる場合においても、静翼３５ａにより第１インペラ２１に流入するエアの軸方向成分が増加される。このように、第２の実施形態では、第１ないし第３インペラ２１，３１，４１の回転方向は任意の方向とされてよく、第１ないし第３インペラ２１，３１，４１の回転方向がいずれの方向とされても静翼２５，３５ａにより風洞部１１を流れるエアの軸方向成分を増加することが可能とされる。
【００４４】
図６は、第３の実施形態に係る直列式軸流ファン１ｂを示す縦断面図である。直列式軸流ファン１ｂは、図１に示す直列式軸流ファン１における、第１軸流ファン２、第２軸流ファン２、第３軸流ファン３の配置を入れ替えた構造である。図６の下側に位置する第１軸流ファン２ｂと第２軸流ファン３ｂにより二重反転ファンが構成され、それに複数の静翼４７を有する第３軸流ファン４ｂが接続されて、直列式軸流ファン１ｂが構成される。その他の構造は、直列式軸流ファン１と同様であり、同様の構成には同符号を付している。
【００４５】
第１軸流ファン２ｂは、第１インペラ２１、中心軸Ｊ１を中心に第１インペラ２１を回転する第１モータ部２２、第１インペラ２１の外周を囲む第１ハウジング２３、および、第１インペラ２１よりも上側に位置して第１モータ部２２と第１ハウジング２３とを接続する棒状の複数の第１支持リブ２７を備える。
【００４６】
第２軸流ファン３ｂは、第２インペラ３１、中心軸Ｊ１を中心に第２インペラ３１を第１インペラ２１とは逆方向に回転する第２モータ部３２、第２インペラ３１の外周を囲む第２ハウジング３３、および、第２インペラ３１よりも下側に位置して第２モータ部３２と第２ハウジング３３とを接続する棒状の複数の第２支持リブ３７を備える。第２支持リブ３７および第１支持リブ２７は第１インペラ２１と第２インペラ３１との間に位置するとともに、中心軸Ｊ１に平行な方向に、ほぼ全長に亘って重なる。
【００４７】
第３軸流ファン４ｂは、第３インペラ４１、中心軸Ｊ１を中心に第３インペラ４１を第２インペラ３１と同じ方向に回転する第３モータ部４２、第３インペラ４１の外周を囲む第３ハウジング４３、および、第３インペラ４１と第２インペラ３１との間に位置して略径方向に伸びる複数の静翼４７を備える。静翼４７、第３ハウジング４３および第３モータ部４２のベース部４４は樹脂の射出成形により１つの部材として形成され、第３軸流ファン４ｂの構造が簡素化される。
【００４８】
なお、第３インペラ４１は第２インペラ２１とは逆方向に回転されてもよく、第１軸流ファン２ｂおよび第２軸流ファン３ｂにより二重反転ファンが構成されるのであれば、第１ないし第３インペラ２１，３１，４１の回転方向は任意の方向とされてよい。
【００４９】
直列式軸流ファン１ｂの駆動時には、第３インペラ４１から送出されるエアは静翼４７により旋回成分の一部が軸方向成分に変換されて軸方向成分が増加されつつ第２インペラ３１に流入し、これにより、第２インペラ３１による送風効率が高められる。
【００５０】
直列式軸流ファン１ｂでは、第１支持リブ２７および第２支持リブ３７の中心軸Ｊ１に平行な方向および中心軸Ｊ１を中心とする周方向における幅は静翼４７の同方向の幅よりも小さくされ、第１支持リブ２７および第２支持リブ３７は静翼４７に比べてエアの軸方向成分を増加させない。すなわち、直列式軸流ファン１ｂでは、第１インペラ２１の排気側、および、第１インペラ２１と第２インペラ３１との間には静翼として機能する部材が設けられない。このような構造であっても、第１軸流ファン２ｂおよび第２軸流ファン３ｂが二重反転ファンとされるため、第２インペラ３１の回転により発生するエアの旋回成分の一部が第１インペラ２１により軸方向成分に変換され、直列式軸流ファン１ｂから送出されるエアの軸方向成分が増加されて静圧が向上される。
【００５１】
直列式軸流ファン１ｂでは、静翼４７並びに第１インペラ２１および第２インペラ３１によりエアの軸方向成分が増加されるため、第１ないし第３ハウジング２３，３３，４３により形成される風洞部１１内のエアの流れは旋回が少ない流れとなっている。また、第１軸流ファン２ｂおよび第２軸流ファン３ｂでは、第１支持リブ２７と第２支持リブ３７とが中心軸Ｊ１に平行な方向に重なることから、これらの支持リブがエアの流れを妨げることが抑制される。
【００５２】
図７は、第４の実施形態に係る直列式軸流ファン１ｃを示す縦断面図である。直列式軸流ファン１ｃは、４重の直列式軸流ファンである。図６に示す直列式軸流ファン１ｂの第１軸流ファン２ｂおよび第２軸流ファン３ｂに、これらと同じ構造の２つの軸流ファンが直列に接続されたものと同様の構造である。直列式軸流ファン１ｃは、図７の下側に位置する第１軸流ファン２ｂ、第１軸流ファン２ｂに中心軸Ｊ１に沿って接続される第２軸流ファン３ｂ、第２軸流ファン３ｂに中心軸Ｊ１に沿って接続される第３軸流ファン５および第３軸流ファン５に中心軸Ｊ１に沿って接続される第４軸流ファン６を備える。直列式軸流ファン１ｃでは、第１軸流ファン２ｂおよび第２軸流ファン３ｂが二重反転ファンとされるとともに、第３軸流ファン５および第４軸流ファン６が二重反転ファンとされる。
【００５３】
第１軸流ファン２ｂは、第１インペラ２１を回転させる第１モータ部２２と、第１ハウジング２３とを、接続する棒状の複数の第１支持リブ２７を有している。第２軸流ファン３ｂは、第２インペラ３１を第１インペラ２１とは逆方向に回転させる第２モータ部３２と第２ハウジング３３とを接続させる、棒状の複数の第２支持リブ３７を有する。第１支持リブ２７および第２支持リブ３７は、第１インペラ２１と第２インペラ３１との間に位置する。それとともに、互いに中心軸Ｊ１に平行な方向に、ほぼ全長に亘って重なっている。
【００５４】
また、第３軸流ファン５は、第３インペラ５１を回転させる第３モータ部５２と第３ハウジング５３とを接続させる、棒状の複数の第３支持リブ５４を有している。第４軸流ファン６は、第４インペラ６１を第３インペラ５１とは逆方向に回転される第４モータ部６２と第４ハウジング６３とを接続させる、棒状の複数の第４支持リブ６４を有する。第３支持リブ５４および第４支持リブ６４は、第３インペラ５１と第４インペラ６１との間に位置する。それとともに、第３支持リブ５４および第４支持リブ６４は、互いに中心軸Ｊ１に平行な方向にほぼ全長に亘って重なっている。
【００５５】
支持リブの上記配置により、直列式軸流ファン１ｃでは、支持リブ２７，３７，５４，６４がエアの流れを妨げることが抑制される。
【００５６】
直列式軸流ファン１ｃの駆動時に、第１から第４ハウジング２３，３３，５３，６３により形成された筒状の風洞部１１内では、排気側から３番目の第３インペラ５１と４番目の第４インペラ６１との回転方向が逆とされる。このことにより、エアの旋回成分の一部が軸方向成分に変換されて、第３インペラ５１から送出されるエアは、軸方向成分が増加された状態で、第２インペラ３１に送り込まれる。その結果、第２インペラ３１による送風効率が高められる。さらに、最も排気側の第１インペラ２１と、排気側から２番目の第２インペラ３１との回転方向が逆とされる。このことにより、エアの旋回成分の一部が軸方向成分に変換されて、直列式軸流ファン１ｃから送出されるエアの軸方向成分が増加されて、静圧がより向上される。
【００５７】
なお、直列式軸流ファン１ｃでは、インペラ２１，３１，５１，６１の上記回転方向により、第１インペラ２１の排気側、第１インペラ２１と第２インペラ３１との間、第２インペラ３１と第３インペラ５１との間、および、第３インペラ５１と第４インペラ６１との間に、略径方向に伸びる翼形状とされて集風効果を得る部位が設けられない、すなわち、ファンから送出されるエアの軸方向成分を増加する静翼が設けられない構造であっても静圧の向上が実現されている。
【００５８】
直列式軸流ファン１ｃは、同一の構造を有する４つの軸流ファンの上下を反転しつつ、順次接続した構造である。このため、ステータのコアやインシュレータ、回路基板等のモータ部を構成する部材が統一されているので、直列式軸流ファン１ｃの製造コストを低減できる。また、直列式軸流ファン１ｃの構造は、３組以上の２重反転ファンを接続した直列式軸流ファンに応用することができる。この場合、排気側から奇数番目の支持リブが、対応する軸流ファンの吸気側に配置され、偶数番目の支持リブが、対応する軸流ファンの排気側に配置される。この結果、奇数番目と偶数番目の支持リブが、中心軸の平行な方向にほぼ全長に亘って重なるので、支持リブがエアの流れを妨げることが抑制される。
【００５９】
第４の実施形態では、第１軸流ファン２ｂおよび第２軸流ファン３ｂにより、二重反転ファンが形成される。それとともに、第３軸流ファン５および第４軸流ファン６により、二重反転ファンが形成されるのであれば、各インペラ２１，３１，５１，６１の回転方向は任意とされてよい。
【００６０】
特に、直列式軸流ファン１ｃの駆動時の騒音を低減する必要がある場合は、第２軸流ファン３ｂと第３軸流ファン５とを同じ方向に回転させることにより、第２軸流ファン３ｂと第３軸流ファン５との間の騒音が低減される。さらに、第２軸流ファン３ｂと第３軸流ファン５との間の騒音のピーク周波数が、第１軸流ファン２ｂと第２軸流ファン３ｂの間の騒音、および、第３軸流ファン５と第４軸流ファン６との間の騒音のピーク周波数とずれるため、特定の周波数に騒音が集中することも防止される。
【００６１】
以上、第１ないし第４の実施形態について説明したが、上記実施形態は次のように捉えることができる。
第１の実施形態では、第１軸流ファン２は、静翼を有さない単独の軸流ファンよりも旋回成分が低減され、軸方向成分が増加されたエアを送出する。第２軸流ファン３および第３軸流ファン４は、静翼を有さない単独の軸流ファンよりも旋回成分が低減され、軸方向成分が増加されたエアを第１軸流ファン２に送り込む役割を果たしている。
第２の実施形態においても、第１軸流ファン２は静翼を有さない単独の軸流ファンよりも旋回成分が低減され、軸方向成分が増加されたエアを送出する。第２軸流ファン３ａは、静翼を有さない単独のファンよりも旋回成分が低減され、軸方向成分が増加されたエアを第１軸流ファン２に送り込む役割を果たしている。
【００６２】
第３の実施形態では、第１軸流ファン２ｂおよび第２軸流ファン３ｂは、静翼を有さない単独の軸流ファンよりも旋回成分が低減され、軸方向成分が増加されたエアを送出する。第３軸流ファン４ｂは、静翼を有さない単独の軸流ファンよりも旋回成分が低減され、軸方向成分が増加されたエアを第２軸流ファン３ｂに送り込む役割を果たしている。
第４の実施形態では、第１軸流ファン２ｂおよび第２軸流ファン３ｂは、静翼を有さない単独の軸流ファンよりも旋回成分が低減され、軸方向成分が増加されたエアを送出する。第３軸流ファン５および第４軸流ファン６は、静翼を有さない単独の軸流ファンよりも旋回成分が低減され、軸方向成分が増加されたエアを第２軸流ファン３ｂに送り込む役割を果たしている。
【００６３】
すなわち、上記実施形態では、３以上の軸流ファンを接続した直列式軸流ファンの排気側において、静翼を有さない単独の軸流ファンよりも旋回成分が低減され、軸方向成分が増加されたエアを送出する、少なくとも１つの下流側軸流ファンが配置される。また、静翼を有さない単独の軸流ファンに比べて旋回成分が低減され、軸方向成分が増加されたエアを下流側軸流ファンへと送り込む、少なくとも１つの上流側軸流ファンが下流側軸流ファンの吸気側に接続される。
【００６４】
図８は、図１に示す直列式軸流ファン１の他の例を示す図である。図８に示す直列式軸流ファン１では、図１に示す直列式軸流ファン１の第１軸流ファン２の静翼２５に代えて、棒状の第１支持リブ２８が設けられる。それとともに、第１軸流ファン２の排気側の端部に静翼部７が配置される。他の構造は、図１に示す直列式軸流ファン１と同様である。
【００６５】
図９は静翼部７の底面図である。静翼部７は、中心軸Ｊ１を中心とする環状部７１、環状部７１の外周から放射状に伸びる４つの静翼７２、並びに、環状部７１および静翼７２を囲む略四角形のフレーム７３を備えている。環状部７１の外周の径は、図８に示す第１軸流ファン２のベース部２４の外周の径とほぼ同じとされる。フレーム７３は、第１ハウジング２３の排気側の端部に取り付けられている。フレーム７３の内側面は、第１ハウジング２３の内側面に滑らかに接続する。これにより、直列式軸流ファン１の排気側の端部では、滑らかなエアの流路が形成される。
【００６６】
直列式軸流ファン１では、第１インペラ２１の排気側に静翼部７が設けられることにより、図１の場合と同様に、第１インペラ２１から送出されるエアの軸方向成分が増加される。このため、直列式軸流ファン１から送出されるエアの静圧が向上される。なお、図５および図６に示す直列式軸流ファン１ａ，１ｂにおいても、静翼２５，３５ａ，４７に代えて、棒状の支持リブが設けられるとともに、支持リブの排気側に静翼部７が取り付けられてもよい。
【００６７】
以上、本発明の実施形態について説明したが、本発明は上記実施形態に限定されるものではなく、様々な変更が可能である。例えば、上記第１の実施形態では、図１０に示すように、第２軸流ファン３の上下が反転されて、第２支持リブ３５および第３支持リブ４５が、第２インペラ３１を挟んで互いに離れて配置されてもよい。同様に、直列式軸流ファン１ｂ，１ｃも、互いに隣接する軸流ファンの支持リブ同士が、互いに離れて配置される構造とされてもよい。
【００６８】
図７に示す第４の実施形態では、第１支持リブ２７および第３支持リブ５４のそれぞれが、第１インペラ２１および第３インペラ５１の排気側に配置されてもよい。さらにその構造に加えて、第２支持リブ３７および第４支持リブ６４のそれぞれが、第２インペラ３１および第４インペラ６１の吸気側に配置されてもよい。換言すれば、排気側から奇数番目の軸流ファンの支持リブが、当該軸流ファンのインペラの下側に配置されるとともに、偶数番目の軸流ファンの支持リブが、当該軸流ファンのインペラの上側に配置されてもよい。支持リブとインペラとの上下関係は、さらに他のものとされてもよい。
【００６９】
また、図１では、第２軸流ファン３の棒状の第２支持リブ３５に代えて、第２支持リブ３５よりも中心軸Ｊ１に平行な方向における幅が大きい板状、または、翼形状の支持リブが設けられてもよい。同様に、第３軸流ファン４においても、板状または翼形状の支持リブが設けられてもよい。第２軸流ファン３の支持リブおよび第３軸流ファン４の支持リブの一方または両方が、板状または翼形状とされる場合を考える。この場合であっても、これらの支持リブが、第１インペラ２１と第２インペラ３１との間に位置する。それとともに、互いに中心軸Ｊ１に平行な方向において重なることにより、エアの流れを妨げることが抑制される。なお、図１０に示す場合においても、第２軸流ファン３の支持リブおよび第３軸流ファン４の支持リブの一方または両方が、板状または翼形状とされてよい。また、他の実施形態においても、エアの軸方向成分を所望の程度だけ増加するために、支持リブが棒状のものから板状または翼形状のものに適宜変更されてよい。
【００７０】
上記実施形態では、直列式軸流ファンは、互いに隣接するインペラの翼および支持リブの数が異なるように設計されるとよい。好ましくは、互いに隣接するインペラの翼および支持リブの数が、互いに素となるように設計されるとよい。これにより、翼および支持リブのそれぞれにおいて発生する騒音のピーク周波数がずれて、直列式軸流ファン全体の騒音が低減される。
【００７１】
上記実施形態では、２つの軸流ファンの間に、それぞれのハウジングの内側面に滑らかに接続する内側面を有する筒状のスペーサが取り付けられてもよい。また、直列式軸流ファン１，１ａ〜１ｃの吸気側には１または２以上の軸流ファンがさらに直列に接続されてよく、隣接する２つの軸流ファンのインペラの回転方向が同じである場合には、好ましくは、当該２つの軸流ファンの間に静翼が設けられる。
【産業上の利用可能性】
【００７２】
本発明は、電子機器等の冷却用のファンとして利用可能であり、冷却ファン以外のファンとしても利用可能である。
【符号の説明】
【００７３】
１，１ａ〜１ｃ    直列式軸流ファン
１１    風洞部
２１    第１インペラ
２２    第１モータ部
２３    第１ハウジング
２４    （第１モータ部の）ベース部
２５，３５ａ，４７    静翼
２７，２８    第１支持リブ
３１    第２インペラ
３２    第２モータ部
３３    第２ハウジング
３４    （第２モータ部の）ベース部
３５，３７    第２支持リブ
４１，５１    第３インペラ
４２，５２    第３モータ部
４３，５３    第３ハウジング
４４    （第３モータ部の）ベース部
４５，５４    第３支持リブ
６１    第４インペラ
６２    第４モータ部
６３    第４ハウジング
６４    第４支持リブ
２２１    第１ロータ部
３２１    第２ロータ部
４２１    第３ロータ部
Ｊ１    中心軸
【図１】
2010185443.tif 000003
【図２】
2010185443.tif 000004
【図３】
2010185443.tif 000005
【図４】
2010185443.tif 000006
【図５】
2010185443.tif 000007
【図６】
2010185443.tif 000008
【図７】
2010185443.tif 000009
【図８】
2010185443.tif 000010
【図９】
2010185443.tif 000011
【図１０】
2010185443.tif 000012